(57)【要約】【課題】互いに連結される二枚の壁パネルを、その接続端において互いに寄せ合う力が作用するような接続構造とすることで、モールを不要または最小限となるように、止水性や組み付け強度の向上を図るとともに、意匠性を向上する。【解決手段】左右の壁パネル１、２の背面側に渡って二つの連結材９、１０が嵌合し、左右の壁パネル１、２同士を連結する壁パネルの接続構造であり、一方の連結材（突起部付き連結材）９に突起部１３が設けられ、もう一方の連結材（溝部付き連結材）１０には細溝部が形成される溝部が設けられ、細溝部に突起部１３が嵌合することで壁パネル同士が連結される構成とされており、細溝部は下方に向かうほど左右の壁パネル１、２同士が近寄る方向に傾斜して形成されている。【選択図】図５
2019027030.tif 000002
【特許請求の範囲】
【請求項１】
二枚の壁パネルに渡って連結材が壁パネルの背面に嵌合し、壁パネル同士を連結する壁パネルの接続構造であって、連結材は二つの連結材から構成されており、一方の連結材に突起部が設けられ、もう一方の連結材には端部に細溝部が形成される溝部が設けられ、細溝部に突起部が嵌合することで壁パネル同士が連結される構成とされており、細溝部は下方に向かうほど壁パネル同士が近寄る方向に傾斜して形成されていることを特徴とする壁パネルの接続構造。
【請求項２】
請求項１に記載の壁パネルの接続構造であって、二つの連結材はいずれも壁パネルの側端部近傍と当接する壁当接部を備えていることを特徴とする壁パネルの接続構造。
【請求項３】
請求項２に記載の壁パネルの接続構造であって、壁当接部は浴室外側方向に折り返される折り返し壁を備えていることを特徴とする壁パネルの接続構造。
【請求項４】
請求項２または３に記載の壁パネルの接続構造であって、二つの連結材のうち少なくとも一方の連結材の壁当接部と反対側の端部には浴室内側方向に折り返す連結材位置決め部が設けられていることを特徴とする壁パネルの接続構造。
【請求項５】
請求項１から３のいずれかに記載の壁パネルの接続構造であって、溝部は突起部挿入部と突起部保持部と傾斜した細溝部を備えており、突起部挿入部の下方に突起部保持部が形成され、突起部保持部の下方に細溝部が形成されることを特徴とする壁パネルの接続構造。
【発明の詳細な説明】
【技術分野】
【０００１】
本発明は、壁パネルの接続構造に関し、例えば、浴室パネルの壁の接続構造に関するものである。
【背景技術】
【０００２】
従来、互いに接続すべき二枚の接続壁にそれぞれ突起を設け、二枚の接続壁を接続する連結材にそれぞれ設けられた孔に、二枚の接続壁にそれぞれ設けられた突起を嵌合させて連結する構造が知られている（特許文献１、２参照）。
【０００３】
同様の構造の従来のパネルの接続構造を図７および図８において説明する。このパネルの接続構造は、図７（ａ）、（ｂ）に示すように、左右隣接された状態で配置された二枚の壁パネル５０、５１が、連結材５２（図８（ｂ）参照）によって連結される構成である。
【０００４】
二枚の壁パネル５０、５１は、それぞれその接続端に、図７（ａ）、（ｂ）、図８（ｃ）に示すように縦桟５６が設けられており、この縦桟５６には、図８（ａ）に示すように、一部に太幅部５７と細巾部５８を有するスリット５９が形成されている。
【０００５】
二枚の壁パネル５０、５１を連結する連結材５２には、二枚の壁パネル５０、５１のそれぞれのスリット５９に対応して大径部６３を有する突起６４が設けられている。連結材５２の突起６４を、縦桟５６のスリット５９の太幅部５７から挿入し、細幅部５８に位置するように連結材５２を下方に移動することで、二枚の壁パネル５０、５１をモール６５を挟むようにして連結材５２で連結することができる。
【先行技術文献】
【特許文献】
【０００６】
【特許文献１】実開昭６３−１４６００８号公報
【特許文献２】特許第３１３９３５５号公報
【発明の概要】
【発明が解決しようとする課題】
【０００７】
浴室の壁パネル連結部では、外部への水の流出防止や組立のバラツキを吸収する（隠す）ために、一般的にはモールを挿入している。しかしながら、意匠性の向上という観点からすると、モールを設けない方が好ましい。
【０００８】
また、止水性および意匠性の観点からすると、連結される壁パネル同士が互いに寄せ合う力が作用する構造とし、両者の隙間をなるべく小さくし、さらに組み付け強度を向上する構成とすることが好ましい。
【０００９】
図７、図８等に示された従来の接続構造では、互いに連結される二枚の壁パネル５０、５１が互いに寄せ合う力が作用するような構造ではないので、止水性を確保するために、二枚の壁パネル５０、５１の間にモール６５を配置しなくてはならず、意匠性の観点から好ましくない、また部品点数が増え構造が複雑となる。
【００１０】
本発明は上記従来の問題を解決することを目的とするものであり、互いに連結される二枚の壁パネルを、その接続端において互いに寄せ合う力が作用するような接続構造とすることで、モールなしでも止水性をおよび意匠性を向上させるとともに、組み付け強度の向上を図ることを課題とする。
【課題を解決するための手段】
【００１１】
本発明は上記課題を解決するために、二枚の壁パネルに渡って連結材が壁パネルの背面に嵌合し、壁パネル同士を連結する壁パネルの接続構造であって、連結材は二つの連結材から構成されており、一方の連結材に突起部が設けられ、もう一方の連結材には端部に細溝部が形成される溝部が設けられ、細溝部に突起部が嵌合することで壁パネル同士が連結される構成とされており、細溝部は下方に向かうほど壁パネル同士が近寄る方向に傾斜して形成されていることを特徴とする壁パネルの接続構造を提供する。
【００１２】
二つの連結材はいずれも壁パネルの側端部近傍と当接する壁当接部を備えていることが好ましい。
【００１３】
壁当接部は浴室外側方向に折り返される折り返し壁を備えていることが好ましい。
【００１４】
二つの連結材のうち少なくとも一方の連結材の壁当接部と反対側の端部には浴室内側方向に折り返す連結材位置決め部が設けられていることが好ましい。
【００１５】
溝部は突起部挿入部と突起部保持部と傾斜した細溝部を備えており、突起部挿入部の下方に突起部保持部が形成され、突起部保持部の下方に細溝部が形成されることが好ましい。
【発明の効果】
【００１６】
本発明によると、一方の連結材に設けられた突起部を、もう一方の連結材に形成されている溝部の細溝部に嵌合して二枚の壁パネルを連結する二つの連結材において、細溝部は下方に向かうほど壁パネル同士が近寄る方向に傾斜して形成されているので、壁パネル同士を寄せて連結することができ、モールが不要となる。
【図面の簡単な説明】
【００１７】
【図１】本発明に係る壁パネルの接続構造によって連結される二枚の壁パネルを左右に配置した状態を示す図であり、（ａ）は背面側から見た図であり、（ｂ）は平面図である。
【図２】本発明に係る壁パネルの接続構造の実施例１において、連結材を説明する図であり、突起部付き連結材について、（ａ）は正面側から見た図と平面図であり、（ｂ）は背面側から見た図であり、溝部付き連結材について、（ｃ）は正面側から見た図と平面図であり、（ｄ）は背面側から見た図である。
【図３】（ａ）は上記実施例１の溝部付き連結材の背面側から見た溝部の形状を示す図であり、（ｂ）溝部の変形例を示す背面側から見た図であり、（ｃ）は溝部の他の変形例を示す背面側から見て、突起を背面側から打ち込む状態を示す図であり、（ｄ）は該他の変形例に対応する突起が打ち込まれて固定される突起付き連結材を正面側から見た図である。
【図４】（ａ）〜（ｃ）は、上記実施例１において、突起部付き連結材を溝部付き連結材に組み込む工程を説明する図である。
【図５】上記実施例１において、突起部付き連結材と溝部付き連結材によって、左右の壁パネルを連結する工程を説明する図であり、（ａ）は連結の開始状態を示す平面図であり、（ｂ）は連結完了状態を示す平面図である。
【図６】（ａ）は本発明に係る壁パネルの接続構造の実施例２を説明する図であり、（ｂ）は本発明に係る壁パネルの接続構造の実施例３を説明する図である。
【図７】従来の連結される二枚の壁パネルを隣接配置した状態を示し、（ａ）は背面側から見た図であり、（ｂ）は背面側から見た斜視図を示す。
【図８】従来の接続構造を示す図であり、（ａ）は縦桟を背面側から見た図であり、（ｂ）は連結材を正面側から見た斜視図であり、（ｃ）は接続構造の平面図を示している。
【発明を実施するための形態】
【００１８】
本発明に係る壁パネルの接続構造を実施するための形態を実施例に基づき図面を参照して、以下説明する。
【実施例】
【００１９】
（実施例１）
図１（ａ）、（ｂ）は、連結される二枚の壁パネル１、２を示している。この実施例１では、壁パネルは、浴室の壁を構成する壁パネルを例として説明する。本明細書では、壁パネルおよび後記する連結材等について、浴室内側を正面側とも言い、浴室外側を背面側とも言う。また、本明細書での左右については、浴室内側（正面側）から見て、左右側をそれぞれ左右側と言う。                                     
【００２０】
図１（ａ）、（ｂ）において、左右二枚の壁パネル１、２が、互いに連結される側端部が対面するように、隣接して並べた状態を示している。左右の壁パネル１、２は、図１（ｂ）に示すように、それぞれその側端部において浴室外側に折り曲げられて起立した端面３が形成されており、さらに端面３の先端がレ状に折り返され折り返し部分４が形成されている。
【００２１】
なお、左右の壁パネル１、２を連結する際には、端面３からその折り返し部分４に沿って、より止水性を向上させるために、図５（ａ）、（ｂ）に示すように、モールに比べて構造が簡単な止水パッキン５を装着しておく。
【００２２】
左右の壁パネル１、２は、図２に示すような連結材で連結される。連結材は、二つの連結材９、１０から構成される。二つの連結材９、１０のうち、一方の連結材９は、図２（ａ）、（ｂ）に示すが、突起部１３が設けられており、ここでは突起部付き連結材９と言う。
【００２３】
突起部付き連結材９は、図２（ａ）、図５（ａ）、（ｂ）に示すように、壁パネル２と当接する壁当接部１４と、連結材１０と連結材同士が接続される連結材接続部１５を備え、壁当接部１４は、壁パネル２の端面３（壁パネル２の側端部近傍に相当する）に当接する折り返し壁１６を備えている。
【００２４】
突起部１３は、図２（ａ）、図５（ａ）、（ｂ）に示すように、小径部２０と大径部２１から成り、小径部２０が連結材接続部１５に固定されて、大径部２１が連結材接続部１５の背面側に位置するように設けられている。
【００２５】
他方の連結材１０は、図２（ｃ）、（ｄ）に示すが、突起部１３が嵌合する溝部２５が形成されており、ここでは溝部付き連結材１０と言う。
【００２６】
溝部付き連結材１０は、図２（ｃ）、図５（ａ）、（ｂ）に示すように、壁パネル１と当接する壁当接部２６と、突起部付き連結材９と連結材同士が接続される連結材接続部２７を備え、壁当接部２６は、壁パネル１の端面３（壁パネル１の側端部近傍に相当する）に当接する折り返し壁２８を備えている。
【００２７】
溝部付き連結材１０の連結材接続部２７は、連結に際しては、後記するが、突起部付き連結材９の連結材接続部１５に背面側（浴室外側）から当接するように重なる（図５（ａ）、（ｂ）参照）。
【００２８】
この溝部付き連結材１０の連結材接続部２７の端部には、浴室内側方向に折り返す連結材位置決め部２９が設けられている。溝部２５は、溝部付き連結材１０の連結材接続部２７に設けられ、上下方向に伸び浴室の内外方向へ貫通して形成されており、図３（ａ）に示すように、太幅の突起部挿入部３３と、突起部保持部３４と、細溝部３５と、を備えている。
【００２９】
突起部挿入部３３は、突起部１３の大径部２１より若干大きく形成されており、突起部１３の大径部２１が挿通可能である。突起部保持部３４と細溝部３５は、突起部１３の大径部２１より細幅であって、突起部１３の小径部２０より太幅に形成されており、突起部１３の大径部２１は突起部保持部３４と細溝部３５から抜け出ず、突起部１３の小径部２０は、突起部保持部３４と細溝部３５に沿って移動可能なように挿通される。
【００３０】
突起部保持部３４の下方に細溝部３５が形成されている。細溝部３５は、下方に向かうほど左右の壁パネル１、２同士が近寄る方向に傾斜して形成されている。換言すると、細溝部３５は、突起部付き連結材９が溝部付き連結材１０に対して下方に移動すると、突起部付き連結材９が溝部付き連結材１０に近寄るように、傾斜して形成されている。
【００３１】
より具体的には、細溝部３５は、下方に向かうほど、溝部付き連結材１０における連結材位置決め部２９とは反対方向に向けて傾斜して形成されている。即ち、細溝部３５は、図２（ｄ）、図３（ａ）、図４（ａ）等に示すように浴室の背面側から見ると、下方に向かうほど右方向に傾斜して（右下方向に向けて）形成されている。
【００３２】
このような構成とすることにより、後記するが、図４（ｃ）に示すように、突起部付き連結材９が下方に向けて叩かれ、突起部１３が細溝部３５内を下方に移動すると、図５（ａ）の状態から図５（ｂ）の状態に示すように、突起部付き連結材９および右側の壁パネル２を、溝部付き連結材１０および左側の壁パネル１に寄せるように移動させることが可能となる。
【００３３】
なお、溝部の変形例を図３（ｂ）と図３（ｃ）、（ｄ）にそれぞれ示す。突起部保持部３４は、突起部１３を突起部挿入部３３から嵌合して下降させてから、突起部付き連結材９を、一旦、保持することができるので、壁パネル１、２の位置を調整する等の作業をするために都合がよいが、必ずしも必要ではなく、図３（ｂ）に示す変形例の溝部４０は、突起部保持部３４がなく、突起部挿入部３３から斜め下方に向けて細溝部３５が形成されている構成である。
【００３４】
また、図３（ｃ）に示す他の変形例の溝部４１は、太幅の突起部挿入部３３はなく、細溝部４２のみからから成り、上下方向に伸びる上部とその下端から下方斜めに伸びる傾斜部とから成る。
【００３５】
この他の変形例の溝部４１では、突起部付き連結材９の連結材接続部１５に対して、突溝部付き連結材１０の連結材接続部２７を外側から当接した状態で、突起部１３の小径部２０を、溝部４１の上部を通して突起部付け連結材９の連結材接続部１５の固定孔４３に、例えばリベット打ち込み機で打ち込んで、背面側から固定する。
【００３６】
（作用）
以上の構成から成る連結材９、１０によって、左右の壁パネル１、２を連結する工程および接続構造について、以下説明する。
【００３７】
左側の壁パネル１を浴室パン（図示せず）等の床部材上に配置する。そして、溝部付き連結材１０を図５（ａ）に示すように、その折り返し壁２８を左側の壁パネル１の端面３に内側から当接した状態で嵌合して配置する。
【００３８】
さらに、突起部付き連結材９を、溝部付き連結材１０の連結材位置決め部２９に内側から沿うようにし、突起部１３を突起部挿入部３３から浴室の外側方面に向けて挿入し、図４（ａ）、図５（ａ）に示すような状態に嵌合して配置する。その後に、図５（ａ）に示すように右側の壁パネル２を配置する。
【００３９】
この図４（ａ）に示す状態に突起部付き連結材９を配置すると、突起部付き連結材９の自重で図４（ｂ）に示すように突起部１３は突起部保持部３４の位置まで移動する。
【００４０】
突起部保持部３４が形成されていないと、突起部付き連結材９は、その自重によって図４（ｃ）の位置まで降下してしまうことがあり、そのようなことが生じると、右側の壁パネル２を配置することができない。
【００４１】
しかし、突起部保持部３４を設けることにより、突起部保持部３４において、突起部付き連結材９が自重で下方に落下しないように一旦保持できるので、右側の壁パネル２を左側の壁パネル１と並べて配置した状態で壁パネル１、２の若干移動が可能であり、壁パネル１、２の位置の調整等の作業がし易い。
【００４２】
図４（ｂ）の状態から突起部付き連結材９をわずかに右横方向にずらし、上方から木槌等で下方に向けて叩くと、突起部１３を、図４（ｃ）に示すように、突起部保持部３４からその下方の傾斜した細溝部３５内を移動させるとともに、突起部付き連結材９を、図５（ａ）の位置から左方向（図４（ｃ）では背面側から見て右下方向）に移動させる。
【００４３】
このように移動すると、突起部付き連結材９の折り返し壁１６が右側の壁パネル２の端面３に当接し、左側に押して、図５（ｂ）に示すように、左側のパネル１の端面３に当接し押圧するように寄せて、左右の壁パネル１、２を連結する。
【００４４】
この接続構造では、突起部付き連結材９は、その自重により常時、溝部内の突起部１３を介して、右側の壁パネル２を左側の壁パネル1に押圧するように寄せているので、左側の壁パネル1と右側の壁パネル２の連結が解除されにくい。
【００４５】
そして、左側の壁パネル1の端面３と右側の壁パネル２の端面３が互いに密着する。そのために、従来技術のようにモールを設けなくても止水効果が生じ、また隙間が小さくなり目立たないので、意匠性が向上する。
【００４６】
また、図５（ａ）、（ｂ）に示すように、止水パッキン５を壁パネル１の端面３からその折り返し部分４にかけて設けているので、右側の壁パネル２の端面３と左側の壁パネル１の端面３は、図５（ｂ）に示すように、止水パッキン５を介して密着する。そのため、より一層の止水効果が生じる。
【００４７】
溝部付き連結材１０を壁パネルに嵌合した後、突起部付き連結材９を溝部付き連結材１０に嵌合する方法を示したが、溝部付き連結材１０と突起部付き連結材９を嵌合させてから、壁パネルに嵌合してもよい。また、左側の壁パネル１に連結材を嵌合させてから右側のパネル２を配置させて壁パネル同士を接続させたが、左右の順番が逆になってもよい。
【００４８】
以上の説明では、左右二枚の壁パネル１、２を直線的に配置して連結する平継ぎする接続構造について説明したが、本発明に係る壁パネルの組立方法は、平継ぎのみではなく、互いに直交して配置した二枚の壁パネルのコーナ部の接続構造に適用できることは言うまでもない。
【００４９】
（実施例２）
本発明に係る壁パネルの接続構造の実施例２について、主に図６（ａ）を参照して説明する。
【００５０】
この実施例２の壁パネルの接続構造は、実施例１の壁パネルの接続構造と比較し、略同じ構成であるが、突起部付き連結材、溝部付き連結材および壁パネル１、２について、それぞれ一部の構成が異なる。ここでは、異なる構成を中心に説明する。
【００５１】
実施例２における右側の壁パネル２の端面３の先端に形成された折り返し部分７０は、図６（ａ）に示すように、正面右側に向けて斜め方向に折り返され、さらに正面左側に向けて斜め方向に折り返されている。要するに、折り返し部分７０は、右方向に略＞状に折り返されて形成されている。
【００５２】
同様に、実施例２における左側の壁パネル１の端面３の先端に形成された折り返し部分７１は、図６（ａ）に示すように、正面左側に向けて斜め方向に折り返され、さらに右正面側に向けて斜め方向折り返されている。要するに、折り返し部分７１は、左方向に略＜状に折り返されて形成されている。
【００５３】
突起部付き連結材７５は、壁当接部１４と、壁当接部１４の左端から背面右側に向けて斜め方向に折り返された折り返し部１７と、折り返し部１７の上端から左方向に折り返された連結材接続部１５と、を備え、連結材接続部１５には、実施例１と同様の突起部１３が設けられている。
【００５４】
要するに実施例２では、実施例１の折り返し壁１６と同様に壁当接部１４において折り返されて形成された折り返し部１７を介して、壁当接部１４と連結材接続部１５が連続するように形成されている。
【００５５】
溝部付き連結材７８は、壁当接部２６と、壁当接部２６の右端から背面左側に向けて斜め方向に折り返された折り返し部１８と、折り返し部１８の上端から右方向に折り返された連結材接続部２７と、連結材接続部２７の右端から正面側（浴室内側）に折り返された連結材位置決め部２９を備え、連結材接続部２７には、実施例１と同様の溝部２５が形成されている。
【００５６】
要するに実施例２では、実施例１における折り返し壁２８と同様に壁当接部２６において折り返されて形成された折り返し部１８を介して、壁当接部２６と連結材接続部２７が連続するように形成されている。
【００５７】
実施例２の壁パネルの接続構造において、以上の構成から成る連結材７８、７５によって、左右の壁パネル１、２を連結する工程は、実施例１の壁パネルの接続構造における工程と同じであるので省略する。
【００５８】
実施例２の壁パネルの接続構造では、実施例１と同様に、突起部付き連結材７５が下降するに伴い、突起部付き連結材７５と溝部付き連結材７８が互いに近づく方向に移動する。
【００５９】
そして、図６（ａ）に示すように、突起部付き連結材７５の壁当接部１４は右側の壁パネル２に当接した状態で、突起部付き連結材７５の折り返し部１７は、壁パネル２の折り返し部分７０（壁パネル２の側端部近傍に相当する）に当接する。
【００６０】
同様に、溝部付き連結材７８の壁当接部２６は左側の壁パネル１に当接した状態で、溝部付き連結材７８の折り返し部１８は、左側の壁パネル１の折り返し部分７１（壁パネル１の側端部近傍に相当する）に当接する。
【００６１】
その結果、左右の壁パネル１、２は、互いに端面３が当接して連結されるとともに、前後方向への動きも拘束される。従って、左右の壁パネル１、２は、前後方向に動かなくなる。
【００６２】
（実施例３）
本発明に係る壁パネルの接続構造の実施例３について、主に図６（ｂ）を参照して説明する。実施例３の壁パネルの接続構造は、実施例２の壁パネルの接続構造と同様に、左右の壁パネル１、２が前後方向（正面側と背面側）に動かないようにする構成である。
【００６３】
この実施例３の壁パネルの接続構造は、実施例１の壁パネルの接続構造と比較し、略同じ構成であるが、突起部付き連結材、溝部付き連結材および壁パネル１、２について、それぞれ一部の構成が異なる。ここでは、異なる構成を中心に説明する。
【００６４】
実施例３における壁パネル１、２は、実施例２における壁パネル１、２と同じ構成であり、それぞれ端面３の先端には、実施例２と同様の構成の折り返し部分７１、７０が形成されている。
【００６５】
実施例３の突起部付き連結材８０は、実施例１の突起部付き連結材９に比べて、折り返し壁の折り返し方向が異なるのみで、それ以外の構成については同じである。即ち、実施例１の折り返し壁１６は、壁当接部１４において背面側に向けて直角に折り返された構成であるが、実施例３の折り返し壁２２は、壁当接部１４において背面右側に向けて斜め方向に折り返されて形成されている。                                     
【００６６】
実施例３の溝部付き連結材８１は、実施例１の溝部付き連結材１０に比べて、折り返し壁の折り返し方向が異なるのみで、それ以外の構成については同じである。即ち、実施例１の折り返し壁２８は、壁当接部２６において背面側に向けて直角に折り返された構成であるが、実施例３の折り返し壁３０は、壁当接部２６において背面左側に向けて斜め方向に折り返されて形成されている。                      
【００６７】
実施例３の壁パネルの接続構造において、以上の構成から成る連結材８１、８０によって、左右の壁パネル１、２を連結する工程は、実施例１の壁パネルの接続構造における工程と同じであるので省略する。                                 
【００６８】
実施例３の壁パネルの接続構造では、実施例１と同様に、突起部付き連結材８０が下降するに伴い、突起部付き連結材８０と溝部付き連結材８１が互いに近づく方向に移動する。その結果、図６（ｂ）に示すように、突起部付き連結材８０の壁当接部１４は右側の壁パネル２に当接した状態で、突起部付き連結材８０の折り返し壁２２は、右側の壁パネル２の折り返し部分７０（壁パネル２の側端部近傍に相当する）に当接する。
【００６９】
同様に、溝部付き連結材８１の壁当接部２６は左側の壁パネル１に当接した状態で、溝部付き連結材８１の折り返し壁３０は、左側の壁パネル１の折り返し部分７１（壁パネル１の側端部近傍に相当する）に当接する。そのために、左右の壁パネル１、２は、前後方向への動きが拘束される。従って、左右の壁パネル１、２は、前後方向に動かなくなる。
【００７０】
以上、本発明に係る壁パネルの接続構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７１】
本発明に係る壁パネルの接続構造は上記のような構成であるから、浴室の壁パネル、その他、止水性、密封性を要する壁の接続構造にも適用可能である。
【符号の説明】
【００７２】
１  左側の壁パネル                                 
２  右側の壁パネル                                 
３  壁パネルの端面                                 
４  端面の折り返し部分                             
５  止水パッキン
９  突起部付き連結材                               
１０  溝部付き連結材                               
１３  突起部                                       
１４  突起部付き連結材の壁当接部                   
１５  突起部付き連結材の連結材接続部               
１６  突起部付き連結材の折り返し壁 
１７  突起部付き連結材の折り返し部
１８  溝部付き連結材の折り返し部
２０  突起部の小径部                               
２１  突起部の大径部
２２  突起部付き連結材の折り返し壁
２５  溝部                                         
２６  溝部付き連結材の壁当接部                     
２７  溝部付き連結材の連結材接続部                 
２８  溝部付き連結材の折り返し壁                   
２９  溝部付き連結材の連結材位置決め部
３０  溝部付き連結材の折り返し壁                               
３３  溝部の突起部挿入部                           
３４  溝部の突起部保持部                           
３５  細溝部                                       
４０  変形例の溝部                                 
４１  他の変形例の溝部
４３  固定孔                                       
５０、５１  壁パネル
５２  連結材                               
５６  縦桟                                         
５７  太幅部                                       
５８  細巾部                                       
５９  スリット                                     
６３  大径部                                       
６４  突起                                         
６５  モール 
７０  右側の壁パネルの折り返し部分
７１  左側の壁パネル折り返し部分
７５  突起部付き連結材
７８  溝部付き連結材
８０  突起部付き連結材
８１  溝部付き連結材
【図１】
2019027030.tif 000003
【図２】
2019027030.tif 000004
【図３】
2019027030.tif 000005
【図４】
2019027030.tif 000006
【図５】
2019027030.tif 000007
【図６】
2019027030.tif 000008
【図７】
2019027030.tif 000009
【図８】
2019027030.tif 000010